【手続補正書】
【提出日】平成20年2月1日(2008.2.1)
【手続補正１】
【補正対象書類名】特許請求の範囲
【補正対象項目名】全文
【補正方法】変更
【補正の内容】
【特許請求の範囲】
【請求項１】
選択用画像を表示し、選択用画像を使用者に選択させ、選択された選択用画像に対応する撮影動作内容の設定パラメータを設定するカメラ装置において、
画像情報と設定パラメータとを含む新規の撮影モード設定データを取得する取得手段と、
この取得手段により取得された新規の撮影モード設定データに含まれる画像情報に連続番号を付与して選択用画像とする付加処理手段と、
撮影モードを設定する際、前記付加処理手段による処理後の選択用画像を表示する制御手段と
を備えたことを特徴とするカメラ装置。
【請求項２】
前記付加処理手段は、前記取得手段により取得された新規の撮影モード設定データに含まれる画像情報に、連続番号と装置の構造に対応した選択用画像の選択操作に関する操作案内とを付与して選択用画像とすることを特徴とする請求項１記載のカメラ装置。
【請求項３】
選択用画像を表示し、選択用画像を使用者に選択させ、選択された選択用画像に対応する撮影動作内容の設定パラメータを設定するカメラ装置において、
画像情報と設定パラメータとを含む新規の撮影モード設定データを取得する取得手段と、
この取得手段により取得された新規の撮影モード設定データに含まれる画像情報に装置の構造に対応した選択用画像の選択操作に関する操作案内を付与して選択用画像とする付加処理手段と、
撮影モードを設定する際、 前記付加処理手段による処理後の選択用画像を表示する制御手段と
を備えたことを特徴とするカメラ装置。
【請求項４】
選択用画像を表示し、選択用画像を使用者に選択させ、選択された選択用画像に対応する撮影動作内容の設定パラメータを設定するカメラ装置におけるデータの利用方法であって、
画像情報と設定パラメータとを含む新規の撮影モード設定データを取得する取得工程と、
この取得工程により取得された新規の撮影モード設定データに含まれる画像情報に連続番号を付与して選択用画像とする付加処理工程と、
撮影モードを設定する際、前記付加処理工程による処理後の選択用画像を表示する制御工程と
を含むことを特徴とするデータの利用方法。
【請求項５】
選択用画像を表示し、選択用画像を使用者に選択させ、選択された選択用画像に対応する撮影動作内容の設定パラメータを設定するカメラ装置におけるデータの利用方法であって、
画像情報と設定パラメータとを含む新規の撮影モード設定データを取得する取得工程と、
この取得工程により取得された新規の撮影モード設定データに含まれる画像情報に装置の構造に対応した選択用画像の選択操作に関する操作案内を付与して選択用画像とする付加処理工程と、
撮影モードを設定する際、前記付加処理工程による処理後の選択用画像を表示する制御工程と
を含むことを特徴とするデータの利用方法。
【請求項６】
選択用画像を表示し、選択用画像を使用者に選択させ、選択された選択用画像に対応する撮影動作内容の設定パラメータを設定するカメラ装置が有するコンピュータに、
画像情報と設定パラメータとを含む新規の撮影モード設定データを取得する取得処理と、
この取得処理により取得された新規の撮影モード設定データに含まれる画像情報に連続番号を付与して選択用画像とする付加処理と、
撮影モードを設定する際、前記付加処理による処理後の選択用画像を表示する制御処理と
を実行させるためのプログラム。
【請求項７】
選択用画像を表示し、選択用画像を使用者に選択させ、選択された選択用画像に対応する撮影動作内容の設定パラメータを設定するカメラ装置が有するコンピュータに、
画像情報と設定パラメータとを含む新規の撮影モード設定データを取得する取得処理と、
この取得処理により取得された新規の撮影モード設定データに含まれる画像情報に装置の構造に対応した選択用画像の選択操作に関する操作案内を付与して選択用画像とする付加処理と、
撮影モードを設定する際、前記付加処理による処理後の選択用画像を表示する制御処理と
を実行させるためのプログラム。
【手続補正２】
【補正対象書類名】明細書
【補正対象項目名】発明の名称
【補正方法】変更
【補正の内容】
【発明の名称】カメラ装置、データ利用方法及びそのプログラム
【手続補正３】
【補正対象書類名】明細書
【補正対象項目名】０００１
【補正方法】変更
【補正の内容】
【０００１】
本発明は、主として見本画像を用いた撮影条件の設定が可能なカメラ装置、データ利用方法及びそのプログラムに関する。
【手続補正４】
【補正対象書類名】明細書
【補正対象項目名】０００５
【補正方法】変更
【補正の内容】
【０００５】
しかしながら、その場合には、例えば外部から取り込むある撮影モード設定データと他の撮影モード設定データとの間、及びそれらと電子スチルカメラ側に既存する撮影モード設定データとの間で、それらの見本画像に付けられている番号が不連続になる等、一括して使用される複数の撮影モード設定データにおける統一性が阻害される。つまり、撮影モードの設定時つまり見本画像の選択時に使用者に違和感を与えたり、操作性を低下させる要因となるという新たな問題があった。
【手続補正５】
【補正対象書類名】明細書
【補正対象項目名】０００６
【補正方法】変更
【補正の内容】
【０００６】
本発明は、かかる従来の課題に鑑みてなされたものであり、見本画像を含む複数の撮影モード設定データに統一性を確保しつつ、見本画像の多様化を図ることができるカメラ装置、データ利用方法及びそのプログラムを提供することを目的とする。
【手続補正６】
【補正対象書類名】明細書
【補正対象項目名】０００７
【補正方法】変更
【補正の内容】
【０００７】
前記課題を解決するために請求項１の発明にあっては、選択用画像を表示し、選択用画像を使用者に選択させ、選択された選択用画像に対応する撮影動作内容の設定パラメータを設定するカメラ装置において、画像情報と設定パラメータとを含む新規の撮影モード設定データを取得する取得手段と、この取得手段により取得された新規の撮影モード設定データに含まれる画像情報に連続番号を付与して選択用画像とする付加処理手段と、撮影モードを設定する際、前記付加処理手段による処理後の選択用画像を表示する制御手段とを備えたことを特徴とする。
【手続補正７】
【補正対象書類名】明細書
【補正対象項目名】０００８
【補正方法】変更
【補正の内容】
【０００８】
また、請求項２の発明にあっては、前記付加処理手段は、前記取得手段により取得された新規の撮影モード設定データに含まれる画像情報に、連続番号と装置の構造に対応した選択用画像の選択操作に関する操作案内とを付与して選択用画像とすることを特徴とする。
【手続補正８】
【補正対象書類名】明細書
【補正対象項目名】０００９
【補正方法】変更
【補正の内容】
【０００９】
また、請求項３の発明にあっては、選択用画像を表示し、選択用画像を使用者に選択させ、選択された選択用画像に対応する撮影動作内容の設定パラメータを設定するカメラ装置において、画像情報と設定パラメータとを含む新規の撮影モード設定データを取得する取得手段と、この取得手段により取得された新規の撮影モード設定データに含まれる画像情報に装置の構造に対応した選択用画像の選択操作に関する操作案内を付与して選択用画像とする付加処理手段と、撮影モードを設定する際、 前記付加処理手段による処理後の選択用画像を表示する制御手段とを備えたことを特徴とする。
【手続補正９】
【補正対象書類名】明細書
【補正対象項目名】００１０
【補正方法】変更
【補正の内容】
【００１０】
また、請求項４の発明にあっては、選択用画像を表示し、選択用画像を使用者に選択させ、選択された選択用画像に対応する撮影動作内容の設定パラメータを設定するカメラ装置におけるデータの利用方法であって、画像情報と設定パラメータとを含む新規の撮影モード設定データを取得する取得工程と、この取得工程により取得された新規の撮影モード設定データに含まれる画像情報に連続番号を付与して選択用画像とする付加処理工程と、撮影モードを設定する際、前記付加処理工程による処理後の選択用画像を表示する制御工程とを含むことを特徴とする。
【手続補正１０】
【補正対象書類名】明細書
【補正対象項目名】００１１
【補正方法】変更
【補正の内容】
【００１１】
また、請求項５の発明にあっては、選択用画像を表示し、選択用画像を使用者に選択させ、選択された選択用画像に対応する撮影動作内容の設定パラメータを設定するカメラ装置におけるデータの利用方法であって、画像情報と設定パラメータとを含む新規の撮影モード設定データを取得する取得工程と、この取得工程により取得された新規の撮影モード設定データに含まれる画像情報に装置の構造に対応した選択用画像の選択操作に関する操作案内を付与して選択用画像とする付加処理工程と、撮影モードを設定する際、前記付加処理工程による処理後の選択用画像を表示する制御工程とを含むことを特徴とする。
【手続補正１１】
【補正対象書類名】明細書
【補正対象項目名】００１２
【補正方法】変更
【補正の内容】
【００１２】
また、請求項６の発明にあっては、選択用画像を表示し、選択用画像を使用者に選択させ、選択された選択用画像に対応する撮影動作内容の設定パラメータを設定するカメラ装置が有するコンピュータに、画像情報と設定パラメータとを含む新規の撮影モード設定データを取得する取得処理と、この取得処理により取得された新規の撮影モード設定データに含まれる画像情報に連続番号を付与して選択用画像とする付加処理と、撮影モードを設定する際、前記付加処理による処理後の選択用画像を表示する制御処理とを実行させるためのプログラムとした。
【手続補正１２】
【補正対象書類名】明細書
【補正対象項目名】００１３
【補正方法】変更
【補正の内容】
【００１３】
また、請求項７の発明にあっては、選択用画像を表示し、選択用画像を使用者に選択させ、選択された選択用画像に対応する撮影動作内容の設定パラメータを設定するカメラ装置が有するコンピュータに、画像情報と設定パラメータとを含む新規の撮影モード設定データを取得する取得処理と、この取得処理により取得された新規の撮影モード設定データに含まれる画像情報に装置の構造に対応した選択用画像の選択操作に関する操作案内を付与して選択用画像とする付加処理と、撮影モードを設定する際、前記付加処理による処理後の選択用画像を表示する制御処理とを実行させるためのプログラムとした。
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】削除
【補正の内容】
【手続補正２２】
【補正対象書類名】明細書
【補正対象項目名】００２３
【補正方法】削除
【補正の内容】
【手続補正２３】
【補正対象書類名】明細書
【補正対象項目名】００２４
【補正方法】変更
【補正の内容】
【００２４】
以上説明したように本発明においては、新規に取得した、撮影モードの設定時に一括して使用される複数の撮影モード設定データに統一性（一定の規則性や同一性など）を確保することができるようにした。